(57)【要約】  【課題】  熱中症の発生を抑制するとともに、冷却管の密着性と冷却液の循環性の両方を維持することができる冷却服を提供する。  【解決手段】  内側に液体が循環する冷却管２が固定された冷却服１・２４と冷却管２と装着者身体の密着性と前記冷却管２内の液体循環性の両方を維持するための両立部材１２とを備え、装着者の体型や動きに対応して、冷却管２及び冷却管２の保持部分はともに変形する柔軟性を備え、両立部材１２は冷却管２の存在しない領域に設けられているとともに、両立部材１２は着脱自在の第２面ファスナー９と、着脱自在の第１面ファスナー１０を備えた引締片部１１とで構成される。【選択図】  図４
2015145541.tif 000002
【特許請求の範囲】
【請求項１】
内側に液体が循環する冷却管(２)が固定された冷却服(１・２４)と、前記冷却管(２)と装着者身体の密着性と前記冷却管(２)内の液体循環性の両方を維持するための両立部材(１２)とを備え、
前記装着者の体型や動きに対応して、前記冷却服(１・２４)の前記冷却管(２)の保持部分と前記冷却管(２)は変形する柔軟性を備え、
しかも前記両立部材(１２)は、前記冷却管(２)の存在しない領域に設けられていることを特徴とする冷却服。
【請求項２】
請求項１に記載の冷却服において、前記両立部材(１２)を、前記冷却服(１・２４)の外面側に突出するとともに着脱自在の第１面ファスナー(１０)を備えた引締片部(１１)と、前記冷却服(１・２４)の外面位置に設けられ、前記引締片部(１１)の引締め動作に対応して前記第１面ファスナー(１０)に着脱自在に係合する第２面ファスナー(９)
とから構成し、
前記冷却管(２)が存在する前記冷却服(１・２４)の領域を除いて、前記第１面ファスナー(１０)と前記第２面ファスナー(９)の係合によって引き締められる前記冷却服(１・２４)の引締め領域(１３)を設定した冷却服。
【請求項３】
請求項２に記載の冷却服において、前記引締め領域(１３)を前記装着者の腹部横側における前記冷却服(１・２４)の余裕部分(２５)に設定した冷却服。
【請求項４】
請求項２に記載の冷却服において、前記冷却服(１・２４)の前記冷却管(２)は前記装着者の腕部(３)にも設けられており、前記引締め領域(１３)を前記装着者の腕部(３)における余裕部分(２５)に設定した冷却服。
【請求項５】
請求項１に記載の冷却服において、前記冷却服(１)は頭部を収容する頭部収容部(６)を備え、前記頭部収容部(６)にも前記冷却管(２)が内面に設けられている構成であって、
前記両立部材(１２)を、前記頭部収容部(６)の内側に設けられた柔軟性及び弾力性のある当接部材(１９)と前記当接部材(１９)の間に設けられた溝形部(２０)とから構成し、前記冷却管(２)は前記溝形部(２０)に収容されている冷却服。
【請求項６】
請求項５に記載の冷却服において、前記冷却服(１)の胴体側冷却服(２４)の前記冷却管(２)と前記頭部収容部(６)内部に設けられた前記冷却管(２)とは一つの循環経路を構成し、最初に入る冷却液の侵入液が前記胴体側冷却服(２４)側から入るとともに、最後に出る戻り液も前記前記胴体側冷却服(２４)側から出る冷却服。
【請求項７】
請求項６に記載の冷却服において、前記冷却服(１)と前記頭部収容部(６)の間における前記一つの循環経路を構成する前記冷却管２の接続は、前記冷却服(１・２４)の背中上部(２４ａ)から前記頭部収容部(６)の頭部後方とを接続する領域に設けられた侵入液冷却管(２２)と戻り液冷却管(２３)の複数本の冷却管によって行われる冷却服。
【発明の詳細な説明】
【技術分野】
【０００１】
本発明は、服などの内面に水などの冷却液が流れる冷却管を設けた実用的な冷却服に関する。
【背景技術】
【０００２】
従来から、身体を冷却する冷却服が各種提案されている。
例えば、特許文献１の防熱用作業着は、４０℃程度の高温雰囲気下でも冷却性能を発揮するドライアイスを用い、このドライアイスの冷気を供給する方式である。この防熱用作業着は、パイプの内側から外側に向って冷風の噴出が可能な冷気パイプと、冷気パイプに接続されたドライアイスを収納するためのドライアイス収納容器と、ドライアイスの冷気を冷気パイプに供給するためのファンを備えたことを特徴としている。
【０００３】
また、特許文献２には、着衣者から熱を奪って外部に放熱する冷却機能を有する冷却服において、潜熱として熱輸送する冷却液を封入したループ型ヒートパイプの凝縮部で凝縮した冷却液を蒸発部方向へ送出するポンプと、このポンプから送出される液相の液体がその内部を流通する液管部と、この液管部から分岐して衣服部に織込みまたは取付けられた複数の蒸発管と、これらの蒸発管の終端部がそれぞれ連通接続されるとともに、蒸気が前記凝縮部に向けてその内部を流通する蒸気管部とを有する冷却服が提案されている。
【０００４】
上記従来技術であれば、送風ファンを服などに取り付け、冷却風を服内部に送風して体温を冷す構成の冷却服に比べて外部温度等の条件に左右されず、確実に冷却できることが予想される。
【先行技術文献】
【特許文献】
【０００５】
【特許文献１】実開平６−５９４１２
【特許文献２】特開平６−９２２９５
【発明の開示】
【発明が解決しようとする課題】
【０００６】
しかしながら、上記特許文献１に開示された冷却服は、ドライアイス収納容器を必須とするものであり、作業毎に新しいドライアイスを必要とすることから運用コストが高くなる課題があった。
さらに、同公報の図１を参照すると作業者の肩の一部に掛けるように冷気パイプが設けられているだけであり、作業者の身体の大部分において冷却性能を有する冷却服を提供するという観点からは十分なものではなかった。
【０００７】
また、上記特許文献２に開示された冷却服における蒸発管は、同公報の図１及び図２に示すように冷却服内面の全面に設けられているので、作業者の動きに応じて、蒸発管が屈曲したり、折れたりして、冷却液の循環が阻害されるという課題点があった。
このような従来技術の冷却服は、冷却液の循環が阻害されない条件を維持しつつ肌に密着させて着るということを実現することは非常に難しいものであった。例えば、冷却液の循環と身体への密着性を向上させるために、ゴムのような伸縮性のある競泳服の内面側に冷却管を配設することも考えられるが、この構成であれば、そのような冷却服を装着することに非常な困難が伴い、着るのに３０分〜４０分程度を要するというような新しい課題が発生することが予想される。
また、上記特許文献１・２においては、ヘルメットを被った作業者において、頭部の冷却については全く考慮されていない課題がある。
一般に危険性を伴う作業環境では作業者を守るためにヘルメットの着用が法律で定められていることが多く、ヘルメット内の頭部の冷却は作業者の疲労低減にも必要不可欠と思われる。しかし、従来技術ではヘルメットを装着した頭部の冷却方法に関しては、ヘルメット内部に設けたペルチェ素子による冷却等しか提案されていないようである。
さらに、高温時に人体の適切な冷却を行なわないと熱中症を引き起こし、重篤な場合は生命にかかわる問題も多数発生しているのが現状である。
【０００８】
本発明の目的は上記従来技術の課題を解決して、実用的な冷却服を提供することにある。
具体的な目的の一例を示すと、以下の通りである。
（ａ）冷却管の身体への密着性と冷却液の循環性の相反する課題の両方を良好に解決することができる冷却服を提供する。
（ｂ）ヘルメットを被ることを前提とする対象者に対して、製造コストを低減しつつ、頭部の冷却を良好に行うことができる冷却服を提供する。
（ｃ）冷却管を有した冷却服であっても着ることが簡単に行えるとともに着心地が良く、熱中症の発生を抑制することができる冷却服を提供する。
なお、上記に記載した以外の発明の課題、その解決手段及びその効果は、後述する明細書内の記載において詳しく説明する。
【課題を解決するための手段】
【０００９】
本発明は多面的に表現できるが、例えば、代表的なものを挙げると、次のように構成したものである。なお、下記各発明において、各符号は後述する実施形態との対応関係を分かりやすくするために一例として示したものであり、本発明の各構成要素は、実施形態に記載した符号に係る構成に限定されないことは言うまでもない。
【００１０】
本発明の冷却服は、内側に液体が循環する冷却管２が固定された冷却服１・２４と、前記冷却管２と装着者身体の密着性と前記冷却管２内の液体循環性の両方を維持するための両立部材１２とを備え、
前記装着者の体型や動きに対応して、前記冷却服１・２４の前記冷却管２の保持部分と前記冷却管２は変形する柔軟性を備え、
しかも前記両立部材１２は、前記冷却管２の存在しない領域に設けられていることを特徴とする。
対象者が着る服内の温度上昇を抑制するためには、身体に対する冷却管の密着性が良くなくてはならず、また、水などの冷却液が良好に循環できるか否かに大きく影響される。この相反する課題に対して、両立部材を冷却管の存在しない領域に設けるという手段によって解決することができる。
この構成であれば、装着者の体型や動きに対応して、冷却管の保持部分と冷却管はともに変形する柔軟性を備えているので、装着者の身体に対するフィット性を向上することができる。
また、両立部材は冷却管の存在しない領域に設けられているので、締め付け動作や圧迫動作に対しても、冷却管内の液体循環性を良好に維持でき、熱中症などの発生を抑制することができる。
なお、本明細書内において「両立部材」とは、冷却管の身体への密着性を良くするという課題と、冷却液の循環性を確保するという課題の両方を解決する具体的な構成部材を言う。
【００１１】
上記本発明において、前記両立部材１２を、前記冷却服１・２４の外面側に突出するとともに着脱自在の第１面ファスナー１０を備えた引締片部１１と、前記冷却服１・２４の外面位置に設けられ、前記引締片部１１の引締め動作に対応して前記第１面ファスナー１０に着脱自在に係合する第２面ファスナー９とから構成し、
前記冷却管２が存在する前記冷却服１・２４の領域を除いて、前記第１面ファスナー１０と前記第２面ファスナー９の係合によって引き締められる前記冷却服１・２４の引締め領域１３を設定することもできる。
この構成であれば、装着者の体格や動作に対応して、冷却管と装着者の体との密着性を高め、冷却管内の液体循環性を良好に維持できる。
つまり、引締片部の引締め操作によって、冷却服の余裕部分などを重ね合わせて冷却管と装着者の体との密着性を高める操作を行なっても、冷却管が存在する前記冷却服の領域を除いて、第１面ファスナーと第２面ファスナーの係合によって引締められる引締め領域が設定されているので、引締め操作によって冷却管が圧迫又は折れて、冷却管内を流れる液体が流れにくくなることを抑制することができる。
【００１２】
上記本発明において、前記引締め領域１３を前記装着者の腹部横側における前記冷却服１・２４の余裕部分２５に設定することもできる。
この構成であれば、冷却服を製造する場合に、身長が大きい人（Ｌ型）、身長が中ぐらいの人（Ｍ型）、身長が小さい人（Ｓ型）のように大まかなサイズを構成することが一般的である。そこで、引締め領域を装着者の腹部横側における冷却服の余裕部分とすることで、その装着者の太り具合による冷却管の密着性や装着者の作業動作に対応して装着者の判断で好ましい状態に調整することができる。
しかもその場合であっても引締め領域には冷却管は存在しないので冷却液循環性を低下させる恐れもない。
一人一人の体型や、装着者が行なう作業に応じて、冷却服の冷却状態を装着者の各人が好きな状態に設定できる実用上の効果は想像以上に大きい。
これに対して、従来技術で記載したような競泳服のような構成であると、手早く着ることが難しい。
【００１３】
上記本発明において、前記冷却服１・２４の前記冷却管２は前記装着者の腕部３にも設けられており、前記引締め領域１３を前記装着者の腕部３における余裕部分２５に設定することもできる。
この構成であれば、引締め領域を装着者の腕部における冷却服の余裕部分とすることで、その装着者の腕部の動きなどに応じて冷却管の密着性と装着者の運動性を適宜、装着者の判断で好ましい状態に調整することができる。
しかもその場合であっても引締め領域には冷却管は存在しないので冷却液循環性を低下させる恐れもない。
【００１４】
上記本発明において、前記冷却服１は頭部を収容する頭部収容部６を備え、前記頭部収容部６にも前記冷却管２が内面に設けられている構成であって、
前記両立部材１２を、前記頭部収容部６の内側に設けられた柔軟性及び弾力性のある当接部材１９と前記当接部材１９の間に設けられた溝形部２０とから構成し、前記冷却管２は前記溝形部２０に収容されるようにすることもできる。
この構成であれば、弾力性のある当接部材がなければ、ヘルメットを頭に装着したときに装着者の頭部と冷却管が過度に圧迫され、水等の冷却液が良好に循環されないという問題が生じ得るが、冷却管が当接部材の間の溝形部に収容されている構成なので、そのような不都合が生じる可能性を低減できる。
また、冷却管が当接部材の間の溝形部に収容されている構成なので、頭部表面と冷却管の距離を適切に保つことが可能であり、しかも装着したときの着け心地を良くすることができる。
【００１５】
上記本発明において、前記冷却服１の胴体側冷却服２４の前記冷却管２と前記頭部収容部６内部に設けられた前記冷却管２とは一つの循環経路を構成し、最初に入る冷却液の侵入液が前記胴体側冷却服２４側から入るとともに、最後に出る戻り液も前記前記胴体側冷却服２４側から出るようにすることもできる。
この構成であれば、胴体側冷却服と頭部収容部を一つの循環経路で構成することで構造及び製造コストを低減できる。また、侵入液と戻り液が流れる冷却管を胴体側冷却服側に設けることで、作業者の動き等において制約を受けることが少なくなる。
【００１６】
上記本発明において、前記冷却服１と前記頭部収容部６の間における前記一つの循環経路を構成する前記冷却管２の接続は、前記冷却服１・２４の背中上部２４ａから前記頭部収容部６の頭部後方とを接続する領域に設けられた侵入液冷却管２２と戻り液冷却管２３の複数本の冷却管によって行われるようにすることもできる。
この構成であれば、頭を左右前後に振るなどの激しい動きがあっても、冷却服の背中上部から前記頭部収容部の頭部後方を接続する領域に設けられた侵入液冷却管と戻り液冷却管の２本の冷却管によって冷却液の循環が行われるので、冷却服と頭部収容部間の冷却管の捻れ、折れ及び圧迫等を抑制することができ、良好な冷却液の循環を達成できる。
【発明の効果】
【００１７】
以上説明したように、本発明であれば、冷却管の身体への密着性と冷却液の循環性の相反する課題の両方を良好に解決することができる冷却服を提供できた。また、ヘルメットを被ることを前提とする対象者に対して、製造コストを低減しつつ、頭部の冷却を良好に行うことができる冷却服を提供できた。さらに、冷却管を有した冷却服であっても着ることが簡単に行えるとともに着心地が良く、熱中症の発生を抑制することができる冷却服を提供できた。
【図面の簡単な説明】
【００１８】
【図１】本発明の第１実施形態を示す冷却服の前部を示す正面図である。
【図２】本発明の第１実施形態を示す冷却服の背面を示す背面図である。
【図３】本発明の第１実施形態において横腹を中心として外側から見た冷却服の展開図である。
【図４】本発明の第１実施形態において横腹を中心として内側から見た冷却服の展開図である。
【図５】（ａ）（ｂ）はそれぞれ第１面ファスナーと第２面ファスナーの説明図である。
【図６】本発明の第１実施形態において腕部と引締め領域の関係を説明するための図である。
【図７】本発明の第２実施形態において頭部収容部の内側を側面から見た概略図である。
【図８】本発明の第２実施形態において頭部収容部の内側に設けられる当接部材と溝形部を示す展開図である。
【図９】本発明の第２実施形態において溝形部と冷却管の関係を示す断面図である。
【発明を実施するための形態】
【００１９】
［第１実施形態］
以下、本発明に係る冷却服の第１実施形態について、図面に基づき説明する。
図１〜図６に示すように、この冷却服１は、冷却管２が内面に固定された衣服１を有している。本実施形態に示す冷却服１は、左右の腕部３と、線形ファスナー４を前面に備えた胴体からなる胴体側冷却服２４と、頭部を覆う頭部収容部６とを有している。
【００２０】
なお、本明細書において、冷却服１とは胴体側冷却服２４と頭部を覆う頭部収容部６を備えた形態と、頭部収容部６を有さず、胴体側冷却服２４だけで構成される形態とを含んだ概念で使用している。
頭部収容部６は胴体側冷却服２４の背中上部２４ａに袋部７を連設した構成となっており、その袋部７には顔部分を露出させる開口部８を前面側に備えた形状に構成してある。
胴体側冷却服２４の前面１４には左右にそれぞれ、２本の第２面ファスナー９が上下方向に並んで設けられており、各第２面ファスナー９は略水平方向（横方向）に延びるように設けられている。
【００２１】
一方、胴体側冷却服２４の横腹域には左右それぞれ第１面ファスナー１０を有した引締片部１１が設けられている。引締片部１１は基端側を胴体側冷却服２４に縫合などの手段で固定されており、引締片部１１の内面側に第１面ファスナー１０が略水平方向（横方向）に延びるように固定されている。図１〜図６においては引締片部１１の外観形状は基端部が広く、先端側にいくにしたがって狭くなる先細り形状の布形物で構成している例が示してあるが、その形状は適宜、変形できる。
【００２２】
引締片部１１に設けられた第１面ファスナー１０と冷却服１の外面に設けられた第２面ファスナー９は引締片部１１の引締め操作の度合いを調整できるように上下方向及び横方向の対応位置に設けられる。
図１及び図２に示す胴体側冷却服２４には第１面ファスナー１０と第２面ファスナー９は合計４本設けられている例が示してある。
図４に示すように柔軟性のある冷却管２を各種方法によって柔軟性のある衣服布材に取り付けてある。このような柔軟性のある冷却管２としてシリコンチューブ等が例示できる。
【００２３】
図４に示すように、この実施形態では、前記第１面ファスナー１０と前記第２面ファスナー９の係合によって引締められる冷却服１の引締め領域１３を設定してある。引締め領域１３は、冷却管２が存在する前記冷却服１の領域を除いて設定してある。
つまり、冷却服１の前面部１４と背面部１４の境線１６（一点鎖線の想像線１６で示す）付近の余裕部分２５を引き締めることができるように、第１面ファスナー１０を備えた引締片部１１と、第２面ファスナー９の位置が設定されているのである。
【００２４】
例えば、引締片部１１にある第１面ファスナー１０を前面１４側に大きく引っ張った状態で第２面ファスナー９に係合して固定させると、境線１６付近の服布が折り重なる部分が大きくなり、冷却管２は身体に密着度合いを高めることができる。密着度合いを高めても引締め領域１３には冷却管２は存在しないので、面ファスナー９・１０によって、柔軟性のある冷却管２が圧迫、塞がれて冷却液の循環が阻害されるという可能性を低減することができる。
【００２５】
一方、装着者の胴回りが大きいときや胴体を大きく動かす作業を行う場合には、引締片部１１の重なる部分を小さくすることで、余裕を持った状態で冷却管２の身体への密着度合いを低めに設定することができる。
【００２６】
また、図６に示すように腕部３にも冷却管２が設けられた構成では、腕部３の引締片部１１が引き締める引締め領域１３には冷却管２を設けないようにする。
腕部３が延びる方向２６に対して直交する方向２７を、面ファスナー９・１０の帯の延びる方向に略一致させることが、腕部３回りの余裕部分２５を調整する上で好ましい。
図６では、片側の腕部３のみだけ２つの引締め領域１３を設けた場合が示しているが、当然のことながら他の一方の腕部３にも対称形に同じように引締め領域１３を設ける。
【００２７】
なお、第１及び第２面ファスナー１０・９としてはマジックテープ（登録商標）などの着脱自在の面状のファスナーが使用される。引き締めの程度を大きくする又は小さくする調整する方法としては、例えば、第２面ファスナー９に対する第１面ファスナー１０が係合する位置を帯の長手方向において変えることが一般的である。
また、図４に示すように冷却服１の所定箇所に設けられた冷却管取出し部１８から循環装置（図示せず）に接続される。
図４に示す構成では、冷却管取出し部１８は横腹部の境線１６の近くに設ける形態が示してある。また、冷却服１側の冷却管と循環装置の冷却管と着脱自在のコネクタ（図示せず）によって接続される。
【００２８】
［第２実施形態］
自動二輪に乗る場合には転倒時又は事故時の身体を守る観点から保護スーツを着ることが一般的であり、夏に保護スーツを着用すると保護スーツ内及びヘルメット内の温度が上昇するという課題があった。
また、溶鉱炉近くで作業するなどの高温場所で作業を行う場合、ヘルメットを着用することが義務づけられていることが多いことから、冷却服のみならず、ヘルメット内の頭部の冷却することが切望されている。
【００２９】
しかし、単純に冷却管２を頭部収容部６の内面に固定するだけでは、市販のヘルメット内部の凹凸によって冷却管の一部が圧迫を受けて、冷却液の流れが低下して、冷却効果を発揮できないという課題を本発明者は発見した。また、頭部の曲率は大きいので、頭部収容部６の袋７を頭部に装着した場合に、頭部収容部６を構成する布部の重なりによって、布部に固定された冷却管２が重なる、折れるというような現象が生じて、冷却液の循環が良好に行われない、又は全く循環が停止されるという課題を発見した。
さらに、ヘルメットの圧迫によって、局部的に冷却管が頭部に食い込む部分が生じて、冷却液の循環性を低下させるとともに、食い込む部分が頭部への圧迫感として感じられ、ヘルメットの装着感が著しく悪化するという課題の発見もあった。
このような課題の発見によって、頭部収容部６を頭部に装着した後に、ヘルメットを素着するという構成については、上記課題を解決する工夫を要するという事実を本発明者は発見したのである。
【００３０】
また、冷却管２を備えた冷却服とは別に、ヘルメット自体に冷却管２を固設したヘルメット専用の冷却装置を製造する方法も考えられるが、胴体側冷却服２４とは別系統のヘルメットの冷却装置と冷却液循環系を別個に製造することは構造が複雑になるとともにコストも高くなるという課題がある。
【００３１】
本実施形態は上記課題を解決するためにされたものであり、第２実施形態に係る冷却服１は、胴体側冷却服２４に加えて装着者の頭部を収容する頭部収容部６を備え、この頭部収容部６にも冷却管２が内面に設けられている構成を前提とするものである。
また、前記した両立部材１０を、頭部収容部６の内側に設けられた柔軟性及び弾力性のある当接部材１９で構成するとともに冷却管２を複数の当接部材１９の間の溝形部２０に収容することで構成した点を特徴としている。
当接部材１９は頭部収容部６の内面に固定されることによって、装着者の頭部形状に略適合する定型性を備えた柔軟性及び弾力性のある曲面形略頭部形状物となっている。したがって、冷却管２の局部的圧迫や重なりを抑制しつつ、装着者の頭部から大きく離れた位置に存在することを抑制して、良好な冷却効果を達成することができる。
【００３２】
当接部材１９はヘルメットを頭部に装着した時に、違和感のない厚さに製造されるもので、好ましくは３ｍｍ〜１０ｍｍ程度に設定される。
また、溝形部２０の深さと冷却管２の直径の長さはほぼ等しいように構成されることが好ましい。その理由は、溝形部２０から冷却管２が大きく突出すると装着時に違和感を感じるとともに冷却液の循環を阻害するからである。
また、溝形部２０の深さに比べて冷却管２の直径が著しく小さいと、頭部との熱交換が良好に行われないことが生じる。この観点から当接部材１９の厚さと冷却管２の直径の比は０．８〜１．２程度にすることが好ましく、さらに０．９〜１．０程度にすることがより好ましい。
柔軟性及び弾力性のある当接部材１９としては、スポンジ，ウレタン樹脂等の柔軟性及び弾力性のある部材で構成される。但し、素材の種類は上記構成のみならず。適宜、選択可能である。
【００３３】
図７〜図９に示す構成例では、各当接部材１９は頭部の額側から後頭部側に向けて延びる複数の細長帯形の当接部材１９を含んだ構成になっており、細長帯形の当接部材１９の間に冷却管２を収容する溝形部２０が形成された構成になっている。
このような溝形部２０を有する当接部材を形成する方法が各種の方法が考えられる。例えば、頭部を包み込む面積を有する平面状のスポンジ部材を用意し、頭部に装着された最終形態を想定して、複数の当接部材１９を形成する溝形部２０の部分を打ち抜いて各形状の複数の当接部材１９を製造する方法がある。
頭部収容部６を構成する袋部７の布生地に溝形部２０を形成するようにお互いに離隔して各形状の複数の当接部材１９を縫合などの手段で衣服の布面に固定するのである。そして、その溝形部２０に冷却管２を収容して頭部収容部６を構成する。
図８に示すように両側の当接部材１９の間の空間で構成された溝形部２０に、冷却管２を収容し、冷却管留め糸２１などで溝形部２０の上面を塞いで、溝形部２０から冷却管２が出ることを防止するように構成する。
【００３４】
また、本実施形態では、図１及び図４に示すように、胴体側冷却服２４に設けられた冷却管２と頭部収容部６の内部に設けられた冷却管２とは一つの循環経路を構成するようにしてある。
さらに、図４に示すように、一つの循環経路を構成する場合における冷却服２と頭部収容部６の間の冷却管２の接続は、侵入液冷却管２２と戻り液冷却管２３の２本の冷却管２で行われ、その２本の冷却管２は胴体側冷却服２４の背中上部２４ａから頭部収容部６内へ接続する領域に設けられている。
この構成では冷却液を循環するポンプや熱を放出する熱交換器は一つで済み、構成が簡単になる。
【００３５】
図４に示す構成では、胴体側冷却服２４に設けられる冷却管２は上下方向に長い線を有するように縦列に配設されているが、頭部よりも、まず、背中部分を強力に冷却したいという要望の冷却服であれば、冷却管２が横方向に長い線を有するように横列に配設する構成を採用し、その後、頭部収容部６の冷却管２に接続するように構成することもできる。
この場合も引締め領域１３には冷却管２は存在しないように構成する。
なお、コストが高くなることを許容して、一つの冷却服１に循環経路を２個設ける場合は、背骨から見て左右にそれぞれ対称形の循環経路を設ける構成を採用する。この構成であれば、背骨から見て左右の冷却速度を均一にすることができる。この場合は、背中上部２４ａに設けられる冷却管２は４本になる。
【００３６】
本発明は上記実施形態以外にも本発明の要旨を変更しない範囲で種々の変形を行うことが可能である。
（１）前記実施形態では冷却液の循環装置の構成は限定されない。実質的に冷却液を冷却管２に循環して、装着者の体温を冷却服１・２４の外に放出する構成であれば、特に限定されない。
（２）胴体側冷却服２４及び頭部収容部６に冷却管２を固定する方法は本発明では特に限定されない。但し、冷却管２と取り付けた衣服面の間において、冷却管２が衣服面に対して、捻れ・移動を許容するような固定形態を採用することが好ましい。
【符号の説明】
【００３７】
１…冷却服
２…冷却管
３…腕部
６…頭部収容部
９…第２面ファスナー
１０…第１面ファスナー
１１…引締片部
１２…両立部材
１９…当接部材
２０…溝形部
２２…侵入液冷却管
２３…戻り液冷却管
２４…胴体側冷却服（冷却服）
２４ａ…背中上部
２５…余裕部分
【図１】
2015145541.tif 000003
【図２】
2015145541.tif 000004
【図３】
2015145541.tif 000005
【図４】
2015145541.tif 000006
【図５】
2015145541.tif 000007
【図６】
2015145541.tif 000008
【図７】
2015145541.tif 000009
【図８】
2015145541.tif 000010
【図９】
2015145541.tif 000011